(57)【要約】【課題】安価で、プリンタに合致したロールペーパーのみを使用可能とするセキュリティーレベルの高いロール状のプリンタ用紙を提供する。【解決手段】プリンタ用紙１１をプリンタ８にセットして使用する際に、フォトセンサ３０が紙菅１３の回転時に端面の情報コード１４を走査して読み取り、フォトセンサ４０がロール紙１２の情報コード４２を走査して読み取って、両者が対応関係にあるかどうか判断する。対応関係にあれば紙菅１３には規定のロール紙が巻かれていることになり、対応関係になければ紙菅１３には規定外のロール紙が巻かれていることになる。【選択図】  図１
2004188782.tif 000002
【特許請求の範囲】
【請求項１】
プリンタにセットされて使用されるプリンタ用紙であって、
データマークを走査方向に並べて構成した情報コードを有し、プリンタにおいて第１の読み取りセンサで当該情報コードが走査されて読み取られるロール紙と、
前記ロール紙を巻いた管状の回転体であって、周面又は端面に円周方向に並べて構成された情報コードを有し、プリンタにおいて第２の読み取りセンサで前記回転体の回転時に前記情報コードが走査されて読み取られる回転体と、
からなるプリンタ用紙。
【請求項２】
前記ロール紙の情報コードは、前記プリンタ用紙が使用されるプリンタに与えられる固有のセキュリティーコードを含んでいる請求項１のプリンタ用紙。
【請求項３】
前記回転体の情報コードは、前記プリンタ用紙が使用されるプリンタに与えられる固有のセキュリティーコードを含んでいる請求項１又は２のプリンタ用紙。
【請求項４】
データマークを走査方向に並べて構成した情報コードを有するロール紙と、
前記ロール紙を巻いた管状の回転体であって、周面又は端面に円周方向に並べて構成された情報コードを有する回転体と、
からなるプリンタ用紙。
【発明の詳細な説明】
【０００１】
【発明の属する技術分野】
本発明は、プリンタにセットされて使用されるプリンタ用紙に関し、特に、芯菅に長尺状のロール紙が巻かれた状態のプリンタ用紙に関する。
【０００２】
【従来の技術】
写真プリンタや感熱プリンタでは、長尺状の印画紙や感熱記録紙を段ボール古紙を円筒状に成形した芯菅（「紙菅」ともいう）にロール状に巻いたロール紙が使用され、プリント後に規定の大きさに切断している。これらの印画紙や感熱記録紙はプリンタにセットされて必要な分がプリントの都度引き出されるようになっている。
【０００３】
近年、プリントクラブ機（以下、「プリクラ機」という）がゲームセンター、温泉ホテル、スーパーなどに設置されてきている。このプリクラ機も撮影した画像をロール紙にプリントして所定の大きさに切断し、客に渡せるようになっている。
【０００４】
ロール紙は、セットされるプリクラ機に合致したものを使用することがプリクラ機とロール紙との色補正、搬送性などにおける相性の点で高品質のプリントを得ることができる。
【０００５】
しかし、市場には種々のロール紙が存在しており、そのプリクラ機に合致しないロール紙を装てん、使用してしまうことがある。この場合、純正のロール紙芯菅に特徴を付してプリクラ機に識別させることもできるが、純正の芯菅に他社製のロール紙を巻き替えて使用されてしまう場合は判別できない。
【０００６】
下記特許文献１、特許文献２には、ロール紙の識別方法が提案されているが、いずれも専用インク、専用読取装置が必要であり、安価なシステム構成は困難である。
【０００７】
また、下記特許文献３の方法では、ペーパーにセキュリティーマーカーをコピー又は貼り付けることで合致しないものを容易に製造可能である。
【０００８】
【特許文献１】
特開平５−１８１８８４号公報
【０００９】
【特許文献２】
特開平６−３２５３４４号公報
【００１０】
【特許文献３】
実開平５−７１９６５号公報
【００１１】
【発明が解決しようとする課題】
本発明は、上記の事情を考慮し、安価で、そのプリクラ機に合致したロールペーパーのみを使用可能とするセキュリティーレベルの高いロール状のプリンタ用紙を提供することを目的とする。
【００１２】
【課題を解決するための手段】
請求項１の本発明は、プリンタにセットされて使用されるプリンタ用紙であって、
データマークを走査方向に並べて構成した情報コードを有し、プリンタにおいて第１の読み取りセンサで当該情報コードが走査されて読み取られるロール紙と、
前記ロール紙を巻いた管状の回転体であって、周面又は端面に円周方向に並べて構成された情報コードを有し、プリンタにおいて第２の読み取りセンサで前記回転体の回転時に前記情報コードが走査されて読み取られる回転体と、
からなるプリンタ用紙、からなる。
【００１３】
請求項１の本発明によれば、プリンタ用紙をプリンタにセットして使用する際に、プリンタの第２の読み取りセンサが前記回転体の回転時に前記周面又は端面の情報コードを走査して読み取り、プリンタの第１の読み取りセンサが前記ロール紙の情報コードを走査して読み取って、両者が対応関係にあるかどうか判断する。対応関係にあれば前記回転体には規定のロール紙が巻かれていることになり、対応関係になければ前記回転体には規定外のロール紙が巻かれていることになる。
【００１４】
請求項２の本発明は、前記ロール紙の情報コードは、前記プリンタ用紙が使用されるプリンタに与えられる固有のセキュリティーコードを含んでいる請求項１のプリンタ用紙、からなる。
【００１５】
請求項２の本発明によれば、前記ロール紙の情報コードは、前記プリンタ用紙が使用されるプリンタに与えられる固有のセキュリティーコードを含んでいるので、ロール紙の情報コードと回転体の情報コードとが対応関係にあるかどうか判断することに加えて、前記ロール紙の情報コードのセキュリティーコードがプリンタ等に記憶、保存又は転送されているセキュリティーコードと対応しているかどうかも判断するので二重チェックできる。セキュリティーコードがプリンタ用紙が使用されるプリンタに与えられる固有のセキュリティーコードであるので、プリンタに記憶、保存又は転送されているセキュリティーコードとロール紙のセキュリティーコードとが対応しているかどうか判断することで、ユーザがそのプリンタに予め決められたロール紙を使用しているかどうかを識別することができる。
【００１６】
請求項３の本発明は、前記回転体の情報コードは、前記プリンタ用紙が使用されるプリンタに与えられる固有のセキュリティーコードを含んでいる請求項１又は２のプリンタ用紙、からなる。
【００１７】
請求項３の本発明によれば、請求項１に従属する発明については、前記回転体の情報コードは、前記プリンタ用紙が使用されるプリンタに与えられる固有のセキュリティーコードを含んでいるので、ロール紙の情報コードと回転体の情報コードとが対応関係にあるかどうか判断することに加えて、前記回転体の情報コードのセキュリティーコードがプリンタ等に記憶、保存又は転送されているセキュリティーコードと対応しているかどうかも判断するので二重チェックできる。セキュリティーコードがプリンタ用紙が使用されるプリンタに与えられる固有のセキュリティーコードであるので、プリンタに記憶、保存又は転送されているセキュリティーコードと回転体のセキュリティーコードとが対応しているかどうか判断することで、ユーザが予め決められた回転体をそのプリンタに使用しているかどうかを識別することができる。
【００１８】
また、請求項３の本発明によれば、請求項２に従属する発明については、前記ロール紙の情報コード及び回転体の情報コードは、前記プリンタ用紙が使用されるプリンタに与えられる固有のセキュリティーコードを含んでいるので、ロール紙の情報コードと回転体の情報コードとが対応関係にあるかどうか判断することに加えて、あるいはロール紙の情報コードと回転体の情報コードとが対応関係にあるかどうか判断することなしに、前記ロール紙の情報コードのセキュリティーコード及び前記回転体の情報コードのセキュリティーコードがプリンタ等に記憶、保存又は転送されているセキュリティーコードと対応しているかどうかも判断するのでチェックが多重にできる。セキュリティーコードが、プリンタ用紙が使用されるプリンタに与えられる固有のセキュリティーコードであるので、プリンタに記憶、保存又は転送されているセキュリティーコードとロール紙のセキュリティーコード、回転体のセキュリティーコードとが対応しているかどうか判断することで、ユーザが予め決められたロール紙及び回転体をそのプリンタに使用しているかどうかを識別することができる。
【００１９】
請求項４の本発明は、データマークを走査方向に並べて構成した情報コードを有するロール紙と、
前記ロール紙を巻いた管状の回転体であって、周面又は端面に円周方向に並べて構成された情報コードを有する回転体と、
からなるプリンタ用紙、からなる。
【００２０】
【発明の実施の形態】
以下、添付図面に従って本発明に係るプリンタ用紙の好ましい実施の形態について詳説する。
【００２１】
図１は、プリクラ機に用いられるプリンタ８の概略図である。プリンタ８は、熱転写プリンタの一種である昇華型プリンタであり、固形インクを塗布したインクリボンに印字ヘッドで熱を加えてインクを昇華させ、ポリエステル系の樹脂でコーティングした専用紙に付着させるプリンタである。
【００２２】
図１において、給紙マガジン１０内にはその専用紙であるプリンタ用紙１１が収納されている。プリンタ用紙１１は、帯状のロール紙１２を紙菅１３に巻きつけて構成されている。紙菅１３は、紙又はプラスチック製の円筒から構成されており、これの端面１３ａには、情報コード１４が記録されている。また、紙菅１３の両端にはペーパーホルダ１５が嵌め込まれている。ペーパーホルダ１５は、回転軸１５ａを有しており、この回転軸１５ａを介して、ロール紙１２を給紙マガジン１０内で回転自在に保持する。
【００２３】
給紙マガジン１０は、マガジン本体１０ａと蓋１０ｂとから構成されている。給紙マガジン１０内には、給紙ローラ１６とロール紙軸受け１７が設けられている。給紙ローラ１６は、ロール紙１２に接触して矢印Ａ方向に回転することで、ロール紙１２を給紙マガジン１０から送り出す。また、矢印Ｂ方向に回転することで、ロール紙１２を給紙マガジン１０内に巻き取る。
【００２４】
ロール紙軸受け１７は、ペーパーホルダ１５の回転軸１５ａを回転自在に保持する。このロール紙軸受け１７は、給紙ローラ方向に移動自在に構成されており、ロール紙１２の使用による減少で巻径が小さくなってもロール紙１２が給紙ローラ１６に常に接触するように構成されている。給紙ローラ１６は、給紙モータ２０により駆動される。給紙モータ２０は、ドライバ２１を介してシステムコントローラ２２により回転制御される。
【００２５】
プリント時には、給紙モータ２０が給紙ローラ１６を給紙方向（Ａ方向）に回転させてロール紙１２をプリント部２３に送り出す。システムコントローラ２２からプリント部２３に制御信号が送られて、プリント部２３では、固形インクを塗布したインクリボンに印字ヘッドで熱を加えてインクを昇華させ、ロール紙１２に昇華したインクを付着させる。付着が終了すると、システムコントローラ２２からドライバ２４に制御信号が送られて、ドライバ２４を介してカッタ２５が作動する。
【００２６】
カッタ２５は、ロール紙１２のプリント済み部分を未プリント部分から切り離すように切断する。排紙ローラ２６は、ロール紙１２をカット位置にセットする。そして、カッタ２５により切断されたロール紙１２ａはトレー２７に排紙される。
【００２７】
図１に示すように、紙菅１３の端面にはデータマークを円周方向に並べて構成された情報コード１４が形成されている。プリンタ８の電源投入時に、紙菅１３が約一周回転してこの情報コード１４がフォトセンサ３０によって読み取られ、読み取り信号がＡ／Ｄ変換器３２に送られる。
【００２８】
図２は、ロール紙１２を少し引き出した状態を示す斜視図である。図２に示すように、ロール紙１２はデータマークを走査方向に並べて構成した情報コード４２を有している。印画開始時に、給紙ローラ１６がＡ方向に回転して１プリント分のロール紙１２が引き出され、ロール紙１２の情報コード４２がフォトセンサ４０によって読み取られ、読み取り信号がＡ／Ｄ変換器３２に送られる。
【００２９】
システムコントローラ２２には、情報入力手段であるキーボード２８及び情報表示手段であるディスプレイ２９が接続している。また、システムコントローラ２２には、情報読取コントローラ３１も接続しており、情報読取コントローラ３１が得たプリンタ制御情報がシステムコントローラ２２に送られる。
【００３０】
情報読取コントローラ３１は、Ａ／Ｄ変換器３２、ＣＰＵ３３、ＲＯＭ３４、データメモリ３５ａを有するＲＡＭ３５、比較器３８からなり、これらＡ／Ｄ変換器３２、ＣＰＵ３３、ＲＯＭ３４、ＲＡＭ３５、比較器３８はバス３６で接続されている。ＲＯＭ３４には、そのプリンタ８に与えられた固有のセキュリティーコードが記憶されている。
【００３１】
ロール紙１２の情報コード４２及び紙菅１３の情報コード１４は、図３に示す構成になっており、それぞれの情報コード４２、１４に記録されている情報は、図４に示す通りである。
【００３２】
情報コード４２、１４は、０〜１０までの１１個のデータマークを有し、「１」のデータマークだけ他のデータマークの２倍の幅をもっている。この１１個のデータマークが、ロール紙１２の長手方向及び紙菅１３の円周方向に繰り返し情報コード４２、１４として付与されている。
【００３３】
「０」、「１」のデータマークは、用紙種別を示しており、標準紙かシール紙かの情報を含んでいる。「１」のデータマークは、プリント（印画）開始位置を決める表示でもある。
【００３４】
「２」、「３」、「４」、「５」、「６」のデータマークは、セキュリティーコードを示している。このセキュリティーコードは、指定したプリンタに合致するように構成されている。
【００３５】
「７」、「８」のデータマークは、ロール紙１２の情報コード４２では紙サイズを表し、紙菅１３の情報コード１４ではペーパー補正値を表している。ペーパー補正値とは、ペーパー感度を左右させるものである。この「７」、「８」のデータマークも、指定したプリンタに合致するように構成されている。
【００３６】
「９」、「１０」のデータマークは、紙分類を示している。紙分類とは、例えば、プリクラの場合、４分割シールなのか、８分割シールなのか、をいう。この「９」、「１０」のデータマークも、指定したプリンタに合致するように構成されている。
【００３７】
ロール紙１２の情報コード４２及び紙菅１３の情報コード１４が実際にどのように読み取られてプリンタ８を作動させるのかを説明する。
【００３８】
プリンタ８の電源を投入すると、紙菅１３が約一周回転してこの情報コード１４がフォトセンサ３０によって読み取られ、読み取り信号がＡ／Ｄ変換器３２に送られる。プリンタ８の電源投入時とは、プリクラ機でいえば開店時などである。Ａ／Ｄ変換器３２に送られた読み取り信号は、ＲＡＭ３５のデータメモリ３５ａに保存される。
【００３９】
次に、プリント開始前に、ＲＯＭ３４に記憶されているセキュリティーコードが比較器３８に送られる。
【００４０】
そして、プリント開始時に、給紙ローラ１６がＡ方向に回転して１プリント分のロール紙１２が引き出され、引き出されるときにロール紙１２の情報コード４２がフォトセンサ４０によって読み取られ、読み取り信号がＡ／Ｄ変換器３２に送られる。Ａ／Ｄ変換器３２に送られた読み取り信号は、ＲＡＭ３５のデータメモリ３５ａに保存される。
【００４１】
読み取られた情報コード１４、４２に含まれているセキュリティー情報部分が順次、比較器３８に送られて比較器３８のセキュリティーコードと比較される。比較の手順を図５のフローチャートに示す。
【００４２】
まず、ロール紙１２の情報コード４２のセキュリティー情報部分が、比較器３８のそのプリンタ８のセキュリティーコードと比較される（ステップ５０）。比較の結果、不一致の場合は、そのプリンタ８が指定のロール紙を使用していないとして、プリント（印画）を行わない（ステップ５６）。比較の結果、一致の場合は、次のステップ５２に進む。
【００４３】
ステップ５２では、紙菅１３の情報コード１４のセキュリティー情報部分が、比較器３８のそのプリンタ８のセキュリティーコードと比較される。比較の結果、不一致の場合は、そのプリンタ８が指定の紙菅を使用していないとして、プリント（印画）を行わない（ステップ５６）。比較の結果、一致の場合は、そのプリンタ８が指定のロール紙及び指定の紙菅を使用しているとして、プリント（印画）を行う（ステップ５４）。
【００４４】
これらの図５の手順は、ＣＰＵ３３が制御する。
【００４５】
上述のように、プリンタ用紙１１において、ロール紙１２及び紙菅１３に各々情報コード４２、１４を設けることにより、より強固なセキュリティーを安価に行うことができる。
【００４６】
すなわち、紙菅への情報コード付与だけでは、同じ紙菅にロール紙を巻き替えるだけでセキュリティーが破られることがあったが、本形態では、異種のプリンタ用紙を使用するためには、ユーザがロール紙と紙菅の両方を作成する必要があるので、実質、異種のプリンタ用紙の使用が不可能になる。
【００４７】
また、従来、ロール紙１２の情報コード４２のみの運用ではデータマーク数の制限により記録不可能であったペーパー補正値を、本形態では紙菅１３の情報コード１４に記録可能となったので、プリント画質向上も達成させることができる。
【００４８】
また、本形態では、比較器３８にセキュリティーコードをもってきてそのセキュリティーコードとロール紙１２の情報コード４２とが、及びそのセキュリティーコードと紙菅１３の情報コード１４とが対応しているかどうか判断するようにしたが、ロール紙１２の情報コード４２と紙菅１３の情報コード１４とが対応しているかどうか直接判断するようにしてもよい。
【００４９】
【発明の効果】
請求項１の本発明によれば、回転体に規定外のロール紙が巻かれていることが発見できるので、回転体をそのままで異なるロール紙を当該回転体に巻いて使用されることが防止される。
【００５０】
請求項２の本発明によれば、ユーザが予め決められたロール紙を使用しているかどうかを識別することができ、異なるロール紙が使用されることがさらに防止できる。
【００５１】
請求項３の本発明によれば、請求項１に従属する発明については、ユーザが予め決められた回転体をプリンタに使用しているかどうかを識別することができ、異なるロール紙が使用されることがさらに防止できる。
【００５２】
また、請求項３の本発明によれば、請求項２に従属する発明については、ユーザが予め決められたロール紙及び回転体をプリンタに使用しているかどうかを識別することができ、異なるロール紙が使用されることがさらに防止できる。
【図面の簡単な説明】
【図１】プリクラ機に用いられるプリンタの概略図。
【図２】ロール紙を少し引き出した状態を示す斜視図。
【図３】ロール紙の情報コード及び紙菅の情報コードの構成を示す図。
【図４】ロール紙の情報コード及び紙菅の情報コードに記録されている情報を示す図。
【図５】ロール紙及び紙菅の読み取られた情報コードに含まれているセキュリティー情報部分が順次、比較器のセキュリティーコードと比較される手順を示したフローチャート。
【符号の説明】
８…プリンタ、１１…プリンタ用紙、１２…ロール紙、１３…紙菅、１３ａ…端面、１４…情報コード、２０…給紙モータ、２１…ドライバ、２２…システムコントローラ、２３…プリント部、３０…フォトセンサ、３１…情報読み取りコントローラ、３２…Ａ／Ｄ変換器、３３…ＣＰＵ、３４…ＲＯＭ、３５…ＲＡＭ、３５ａ…データメモリ、３６…バス、３８…比較器、４０…フォトセンサ、４２…情報コード
【図１】
2004188782.tif 000003
【図２】
2004188782.tif 000004
【図３】
2004188782.tif 000005
【図４】
2004188782.tif 000006
【図５】
2004188782.tif 000007